(57)【要約】【課題】観賞魚等と同一の水槽で、過分に水を汚すことなく、糸ミミズを長期間、新鮮な状態で保存することができ、且つ、長期間家を空ける場合でも、手をかけずに長期間観賞魚等への糸ミミズ供給が可能となる、観賞魚水槽用糸ミミズいけすを提供する。【解決手段】外容器側壁（２４）及び外容器底部（２２）に通水孔（１２）を設けた外容器（５）の内側に、内容器側壁（２４）及び内容器底部（１９）に通水孔を設けた内容器（４）を設け、外容器（５）外周に浮体（３）を装着し、内容器開口部（１７）にフタ（２）を着脱自在に設け、フタ（２）上部に設けられた挿入口（８）に、ろ過装置（７）からの水槽水を注水させることを特徴とする。【選択図】図１
2004154109.tif 000002
【特許請求の範囲】
【請求項１】
外容器側壁（２４）及び外容器底部（２２）に通水孔（１２）を設けた外容器（５）の内側に、内容器側壁（２４）及び内容器底部（１９）に通水孔（１２）を設けた内容器（４）を設け、外容器（５）の外周に浮体（３）を装着し、内容器開口部（１７）にフタ（２）を着脱自在に設け、フタ（２）上部に設けられた挿入口（８）に、ろ過器からの水槽水を注水させる観賞魚水槽用糸ミミズいけす。
【発明の詳細な説明】
【０００１】
【発明の属する技術分野】
この発明は、糸ミミズを、観賞魚などの他の生物と同一の水槽内で、衛生的に新鮮な状態で長期間飼育し、且つ、水槽内に少量ずつ糸ミミズを供給するためのいけすに関するものである。
【０００２】
【従来の技術】
従来、観賞魚に与える糸ミミズは、細かい通水孔の開いた円錐形のプラスティック製糸ミミズ専用容器、又は浅い小皿にその都度少量づつ入れて、観賞魚に与えていた。
【０００３】
【発明が解消しようとする課題】
これには次のような欠点があった。
イ．  糸ミミズは集まってコロニーを作る習性があるため、食べ残された糸ミミズがそのままの状態で水槽内の多く残ると、糸ミミズは集まってコロニーを作る。しかし、観賞魚用の水槽では水流が十分でないため、コロニーの中心部が酸欠状態になる。酸欠状態になった部分の糸ミミズは死んでしまうが、それが腐って水槽内の水質を著しく悪化させた。
ロ．  観賞魚等は動くものに反応する習性が有るため、満腹になっても、動く糸ミミズを突っついたり、咥えたり、引きちぎったりして糸ミミズを死に至らしめ、それが腐って、水槽内の水質を著しく悪化させた。
ハ．  糸ミミズを食べ残させないためには、水槽内に与える糸ミミズの量を調整しなければならないが、一般に糸ミミズの購入ロットは調整が利き辛く、残った糸ミミズは、捨てるか、別の環境を作って飼育するしかなかった。
ニ．  別の環境を作る場合、糸ミミズが生存するための環境を簡易に作るのが難しく、また、手間や設備代、電気代、水道代などの無駄が発生してしまっていた。
ホ．  飼主が長期間家を空ける場合、その間観賞魚等に糸ミミズなどの生き餌を与える有効な手段が無く、誰かに餌やりを頼むか、預けるか、絶食させるかの手段しかなかった。
本発明は、これらの欠点を解決するために発明されたものである。
【０００４】
【課題を解決するための手段】
外容器側壁（２４）及び外容器底部（２２）に通水孔（１２）を設けた外容器（５）の内側に、内容器底部（１９）と内容器側壁（２４）及び、内容器側壁（２４）の一部である内容器傾斜部（１８）に通水孔（１２）を設けた内容器（４）を設ける。そして、外容器（５）上部に浮体（３）を装着し、内容器開口部（１７）にフタ（２）を着脱自在に設ける。この、フタ（２）上部に設けられた挿入口（８）に、端部にクリップ部（１３）を装着し、間に２箇所の可動部（１４）を設けたストロー状の引き込み送水管（１）の先端部（９）を挿入する。
本発明は、以上の構成よりなる、観賞魚用水槽内に設置する観賞魚水槽用糸ミミズいけすである。
【０００５】
【発明の実施の形態】
以下、本発明の実施の形態を説明する。
（イ）内容器（４）は、中央部に内側に傾いた内容器傾斜部（１８）による段を有する、上部につれて広がった略円筒形の容器で、内容器傾斜部（１８）と内容器側壁（２４）下部及び内容器底部（１９）に複数の通水孔（１２）を配する。
（ロ）外容器（５）は、外容器側壁（２５）上部に浮体止め（２１）が設置された、上部につれて広がる略円筒形の容器で、外容器側壁（２５）中下部及び下部、外容器底部（２２）に複数の通水孔（１２）を配する。
（ハ）内容器（４）を外容器（５）の内側に設け、浮体止め（２１）下部に浮体（３）を取り付ける。
（ニ）内容器開口部（１７）に、上部に挿入口（８）を擁したフタ（２）を取り付ける。
（ホ）引き込み送水管（１）は中ほどに可動部（１４）２箇所を設けたストロー形態になっており、吸水口（１５）側の端部にクリップ部（１３）を設け、逆側の端部には先端部（９）を設けている。なお、先端部（９）は、吸水口（１５）より口径を小さくする絞り（１６）が設けられている。
（ヘ）引き込み送水管（１）の可動部（１４）を調整し、フタ（２）に設けられた挿入口（８）に、先端部（９）が入るようにする。
本発明は、以上の構成よりなっている。
本発明を使用する時は、上部式フィルターのような、水（１１）の落水又は流水によってエアーを水槽（１０）に供するろ過装置（７）を設置した水槽（１０）に設置し、内容器（４）に適量の糸ミミズ（２３）を入れることにより、次のように糸ミミズ（２３）を保存することができる。
（イ）本発明の設置は、上部式フィルターのような、水（１１）の落水又は流水によってエアーを水槽（１０）に供するろ過装置（７）の落水口（６）に、水（１１）が引き込み送水管（１）端の吸水口（１５）に入るようにクリップ部（１３）で装着し、可動部（１４）を調整して、浮体（３）によって水槽（１０）内に浮いている本発明の本体と一体になったふた（２）の挿入口（８）に先端部（９）を挿入して設置する。
（ロ）引き込み送水管（１）から送られた水（１１）は、浮体（３）によって水槽（１０）内と同じ水位に保たれた内容器（４）の水面に落下し、その勢いで、糸ミミズ（２３）が入った内容器（４）の中を、内容器側壁（２４）から内容器傾斜部（１８）、内容器底部（１９）の順に流入し、流入した水（１１）は、水の、水面を一定の高さにしようとする作用により、内容器（４）内の内容器側壁（２４）下部及び内容器底部（１９）、内容器傾斜部（１８）に配置された通水孔（１２）より外容器（５）に排出される。内容器（４）に供給された水（１１）は、落水の勢いによって内容器底部（１９）に到達するのに対し、通水孔（１２）は内容器（４）中部に設けられた内容器傾斜部（１８）により多く設置されており、より多くの水（１１）が内容器傾斜部（１８）より外容器（５）に排出されるので、内容器（４）内に水の循環ができる。
（ハ）内容器傾斜部（１８）から外容器（５）に排出された水（１１）は、外容器（５）内の水（１１）を、外容器側壁（２５）中下部及び下部と外容器底部（１９）に配置された通水孔（１２）より押し出すが、外容器（５）の通水孔（１２）は外容器側壁（２５）中下部に、より多く設置されているため、外容器（５）内に水の循環が出来る。
（ニ）内容器底部（２２）及び外容器底部（２２）の通水孔（１２）は、糸ミミズ（２３）の容器外側への移動の効率化を図ると共に、糸ミミズ（２３）の排泄物を容器外に落とす役割も果たす。
（ホ）ろ過装置（７）によって浄化され、新鮮な空気が大量に混入した水が、内容器（４）内に供給され、循環することにより、内容器（４）内の糸ミミズ（２３）が形成するコロニー中心部にも十分な酸素が供給され、糸ミミズ（２３）が酸素欠乏により死亡することを防止する。
（ヘ）外容器（５）により内容器（４）が保護されるので、内容器（４）内の糸ミミズ（２３）を、観賞魚等の直接の接触から遮断でき、それにより、内容器（４）内の糸ミミズ（２３）が傷つき死ぬことを防止する。
（ト）糸ミミズ（２３）は内容器（４）内を対流する水（１１）と共に少量ずつ通水孔（１２）を通って外容器（５）に移動するが、外容器（５）は観賞魚等が捕食できる環境にあるので、観賞魚はその分だけを捕食することが出来る。
【０００６】
【発明の効果】
本発明を使用することにより、次のような効果が得られる。
（イ）本発明以外に特別な装置を使用することなく、観賞魚等と同一の水槽で、過分に水槽水を汚すことなく、糸ミミズを長期間、新鮮な状態で保存することが出来る。
（ロ）糸ミミズは、少量ずつ観賞魚等が捕食できる外容器に移行するので、長期間家を空ける場合でも、手をかけずに長期間の観賞魚等への生き餌供給が可能となった。
（ハ）餌用の糸ミミズを飼育するときの、別の環境を作る必要がなくなったので、飼主の負担が軽減する。また、上部式フィルターなどの水流を利用するので、他の動力源も必要ない。
（ニ）糸ミミズは、水槽内では不足しがちな二酸化炭素を放出するので、水槽内の二酸化炭素を吸収して育つ水草の生育か良くなる。また、健康な糸ミミズは、大量の有機物を摂取し、それを有機物含量の少ない排泄物として放出するので、水槽内の環境維持に良い影響を与える。
【図面の簡単な説明】
【図１】本発明の斜視図
【図２】本発明の分解斜視図
【図３】本発明の要部斜視図
【図４】本発明の要部斜視図
【図５】本発明の要部斜視図
【図６】本発明の要部拡大詳細図
【図７】本発明の用部斜視図
【図８】本発明の側面図
【図９】本発明の断面図
【図１０】本発明の使用状態を示す斜視図
【符号の説明】
（１）      引き込み送水管
（２）      フタ
（３）      浮体
（４）      内容器
（５）      外容器
（６）      落水口
（７）      ろ過装置
（８）      挿入口
（９）      先端部
（１０）    水槽
（１１）    水
（１２）    通水孔
（１３）    クリップ部
（１４）    可動部
（１５）    吸水口
（１６）    絞り
（１７）    内容器開口部
（１８）    内容器傾斜部
（１９）    内容器底部
（２０）    外容器開口部
（２１）    浮体止め
（２２）    外容器底部
（２３）    糸ミミズ
（２４）    内容器側壁
（２５）    外容器側壁
【図１】
2004154109.tif 000003
【図２】
2004154109.tif 000004
【図３】
2004154109.tif 000005
【図４】
2004154109.tif 000006
【図５】
2004154109.tif 000007
【図６】
2004154109.tif 000008
【図７】
2004154109.tif 000009
【図８】
2004154109.tif 000010
【図９】
2004154109.tif 000011
【図１０】
2004154109.tif 000012